【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
複数の感光体を用いて画像形成を行うフルカラー画像形成モードと、単一の感光体を用いて画像形成を行うモノクロ画像形成モードとを備えた画像形成装置であって、
前記複数の感光体上に形成された画像が順次転写される中間転写ベルト、又は前記複数の感光体上に形成された画像が順次転写される用紙を搬送する転写搬送ベルトを駆動する駆動手段と、
前記フルカラー画像形成モードから前記モノクロ画像形成モードへモードを変更するときに、前記駆動手段へのトルクが前記モノクロ画像形成モードにおける前記駆動手段へのトルクと同等となるように、カラー用感光体の回転速度を変更する制御手段と、
前記制御手段により前記カラー用感光体の回転速度が変更された後、前記カラー用感光体を前記中間転写ベルト又は前記転写搬送ベルトから離間させる離間手段とを備えることを特徴とする画像形成装置。
【請求項２】
請求項１記載の画像形成装置において、
前記制御手段は、前記カラー用感光体の少なくとも１つの感光体の回転速度を変更することを特徴とする画像形成装置。
【請求項３】
請求項１又は２に記載の画像形成装置において、
前記駆動手段へのトルクの指示値を検出するトルク指示値検出手段を備え、
前記制御手段は、前記トルク指示値検出手段によって検出されたトルクの指示値に基づいて前記カラー用感光体の回転速度を変更することを特徴とする画像形成装置。
【請求項４】
請求項１又は２に記載の画像形成装置において、
前記駆動手段を流れる電流を検出する電流検出手段を備え、
前記制御手段は、前記電流検出手段によって検出された電流に基づいて前記カラー用感光体の回転速度を変更することを特徴とする画像形成装置。
【請求項５】
請求項１乃至４のいずれか一項に記載の画像形成装置において、
前記制御手段は、カラー各色の画像領域信号をトリガとして、前記カラー用感光体の回転速度を変更することを特徴とする画像形成装置。
【請求項６】
請求項１乃至５のいずれか一項に記載の画像形成装置において、
前記制御手段は、画像形成方向上流側に位置する前記カラー用感光体の回転速度から順に変更することを特徴とする画像形成装置。
【請求項７】
複数の感光体を用いて画像形成を行うフルカラー画像形成モードと、単一の感光体を用いて画像形成を行うモノクロ画像形成モードとを備え、前記複数の感光体上に形成された画像が順次転写される中間転写ベルト、又は前記複数の感光体上に形成された画像が順次転写される用紙を搬送する転写搬送ベルトを駆動する駆動手段を有する画像形成装置の感光体の駆動制御方法であって、
前記フルカラー画像形成モードから前記モノクロ画像形成モードへモードを変更するときに、前記駆動手段へのトルクが前記モノクロ画像形成モードにおける前記駆動手段へのトルクと同等となるように、カラー用感光体の回転速度を変更する制御手順と、
前記制御手順により前記カラー用感光体の回転速度が変更された後、前記カラー用感光体を前記中間転写ベルト又は前記転写搬送ベルトから離間させる離間手順とを有することを特徴とする感光体の駆動制御方法。
【請求項８】
複数の感光体を用いて画像形成を行うフルカラー画像形成モードと、単一の感光体を用いて画像形成を行うモノクロ画像形成モードとを備え、前記複数の感光体上に形成された画像が順次転写される中間転写ベルト、又は前記複数の感光体上に形成された画像が順次転写される用紙を搬送する転写搬送ベルトを駆動する駆動手段を有する画像形成装置の感光体の駆動制御をコンピュータに実行させる駆動制御プログラムであって、
前記フルカラー画像形成モードから前記モノクロ画像形成モードへモードを変更するときに、前記駆動手段へのトルクが前記モノクロ画像形成モードにおける前記駆動手段へのトルクと同等となるように、カラー用感光体の回転速度を変更する制御手順と、
前記制御手順により前記カラー用感光体の回転速度が変更された後、前記カラー用感光体を前記中間転写ベルト又は前記転写搬送ベルトから離間させる離間手順とを有することを特徴とする駆動制御プログラム。
【手続補正２】
【補正対象書類名】明細書
【補正対象項目名】００１２
【補正方法】変更
【補正の内容】
【００１２】
前記課題を解決するため、第１の手段は、複数の感光体を用いて画像形成を行うフルカラー画像形成モードと、単一の感光体を用いて画像形成を行うモノクロ画像形成モードとを備えた画像形成装置であって、前記複数の感光体上に形成された画像が順次転写される中間転写ベルト、又は前記複数の感光体上に形成された画像が順次転写される用紙を搬送する転写搬送ベルトを駆動する駆動手段と、前記フルカラー画像形成モードから前記モノクロ画像形成モードへモードを変更するときに、前記駆動手段へのトルクが前記モノクロ画像形成モードにおける前記駆動手段へのトルクと同等となるように、カラー用感光体の回転速度を変更する制御手段と、前記制御手段により前記カラー用感光体の回転速度が変更された後、前記カラー用感光体を前記中間転写ベルト又は前記転写搬送ベルトから離間させる離間手段とを備えることを特徴とする。
【手続補正３】
【補正対象書類名】明細書
【補正対象項目名】００１４
【補正方法】変更
【補正の内容】
【００１４】
第３の手段は、第１又は第２の手段において、前記駆動手段へのトルクの指示値を検出するトルク指示値検出手段を備え、前記制御手段は、前記トルク指示値検出手段によって検出されたトルクの指示値に基づいて前記カラー用感光体の回転速度を変更することを特徴とする。
【手続補正４】
【補正対象書類名】明細書
【補正対象項目名】００１５
【補正方法】変更
【補正の内容】
【００１５】
第４の手段は、第１又は第２の手段において、前記駆動手段を流れる電流を検出する電流検出手段を備え、前記制御手段は、前記電流検出手段によって検出された電流に基づいて前記カラー用感光体の回転速度を変更することを特徴とする。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】変更
【補正の内容】
【００２０】
第７の手段は、複数の感光体を用いて画像形成を行うフルカラー画像形成モードと、単一の感光体を用いて画像形成を行うモノクロ画像形成モードとを備え、前記複数の感光体上に形成された画像が順次転写される中間転写ベルト、又は前記複数の感光体上に形成された画像が順次転写される用紙を搬送する転写搬送ベルトを駆動する駆動手段を有する画像形成装置の感光体の駆動制御方法であって、前記フルカラー画像形成モードから前記モノクロ画像形成モードへモードを変更するときに、前記駆動手段へのトルクが前記モノクロ画像形成モードにおける前記駆動手段へのトルクと同等となるように、カラー用感光体の回転速度を変更する制御手順と、前記制御手順により前記カラー用感光体の回転速度が変更された後、前記カラー用感光体を前記中間転写ベルト又は前記転写搬送ベルトから離間させる離間手順とを有することを特徴とする。
【手続補正８】
【補正対象書類名】明細書
【補正対象項目名】００２１
【補正方法】変更
【補正の内容】
【００２１】
第８の手段は、複数の感光体を用いて画像形成を行うフルカラー画像形成モードと、単一の感光体を用いて画像形成を行うモノクロ画像形成モードとを備え、前記複数の感光体上に形成された画像が順次転写される中間転写ベルト、又は前記複数の感光体上に形成された画像が順次転写される用紙を搬送する転写搬送ベルトを駆動する駆動手段を有する画像形成装置の感光体の駆動制御をコンピュータに実行させる駆動制御プログラムであって、前記フルカラー画像形成モードから前記モノクロ画像形成モードへモードを変更するときに、前記駆動手段へのトルクが前記モノクロ画像形成モードにおける前記駆動手段へのトルクと同等となるように、カラー用感光体の回転速度を変更する制御手順と、前記制御手順により前記カラー用感光体の回転速度が変更された後、前記カラー用感光体を前記中間転写ベルト又は前記転写搬送ベルトから離間させる離間手順とを有することを特徴とする。